(57)【要約】【課題】フェムトセル基地局等の無線基地局経由での通信モードにおける携帯端末の試験を行う際の、該無線基地局の動作状態の確認を容易にする。【解決手段】携帯端末試験装置は、無線基地局と該無線基地局からの電波を受信可能に構成された携帯端末とを内部に収容可能に構成され、外部からの電波を遮断するように構成されたシールドボックスと、シールドボックス内部に配設されたアンテナと、アンテナを介して受信される無線基地局からの電波の状態を検出する電波状態検出部と、電波状態検出部の検出結果に基づいて、無線基地局からの電波の状態を示す検出信号を出力する検出信号出力部と、を備える。【選択図】図１
2014222832.tif 000002
【特許請求の範囲】
【請求項１】
無線基地局と該無線基地局からの電波を受信可能に構成された携帯端末とを内部に収容可能に構成され、外部からの電波を遮断するように構成されたシールドボックスと、
前記シールドボックス内部に配設されたアンテナと、
前記アンテナを介して受信される前記無線基地局からの電波の状態を検出する電波状態検出部と、
前記電波状態検出部の検出結果に基づいて、前記無線基地局からの電波の状態を示す検出信号を出力する検出信号出力部と、
を備える携帯端末試験装置。
【請求項２】
請求項１に記載の携帯端末試験装置であって、
前記シールドボックス内部に配設され、前記無線基地局の動作状態に応じた表示となる前記無線基地局の表示部の表示を検出する表示検出部と、
前記表示検出部の検出結果に基づいて、前記無線基地局の動作状態を検出する動作状態検出部と、
をさらに備え、
前記検出信号出力部は、さらに、前記動作状態検出部の検出結果に基づいて、前記無線基地局の動作状態を示す検出信号を出力する、
携帯端末試験装置。
【請求項３】
請求項１または２に記載の携帯端末試験装置であって、
前記検出信号出力部は、前記検出信号を外部装置に送信する、
携帯端末試験装置。
【請求項４】
請求項１〜３の何れか一項に記載の携帯端末試験装置であって、
前記電波状態検出部は、前記無線基地局からの電波の強度が所定レベル以上であるかどうか判定し、
前記検出信号出力部は、前記電波状態検出部の検出結果に基づいて、前記無線基地局からの電波が所定レベル以上であるかどうかを示す検出信号を出力する、
携帯端末試験装置。
【請求項５】
請求項２〜４の何れか一項に記載の携帯端末試験装置であって、
前記動作状態検出部は、前記無線基地局の表示部の表示が、正常動作中であることを示す所定パターンであるかどうか判定し、
前記検出信号出力部は、前記動作状態検出部の検出結果に基づいて、前記無線基地局が正常動作中であるかどうかを示す検出信号を出力する、
携帯端末試験装置。
【請求項６】
請求項１〜５の何れか一項に記載の携帯端末試験装置であって、
前記シールドボックスの開閉部の開閉を検出するセンサをさらに備え、
前記検出信号出力部は、前記センサの検出結果に基づいて、前記シールドボックスの開閉部が開かれると、前記検出信号の出力を停止する、
携帯端末試験装置。
【請求項７】
無線基地局と該無線基地局からの電波を受信可能に構成された携帯端末とを内部に収容し、外部からの電波を遮断するように構成されたシールドボックスにおいて、
前記シールドボックス内部に配設されたアンテナを介して受信される、前記無線基地局からの電波の状態を検出し、
前記無線基地局からの電波の状態の検出結果に基づいて、前記無線基地局からの電波の状態を示す検出信号を出力する、
携帯端末試験方法。
【発明の詳細な説明】
【技術分野】
【０００１】
本発明は、携帯端末試験装置に関する。
【背景技術】
【０００２】
携帯電話等の携帯端末は、マクロ基地局との間で電波の送受信を行うことにより、通話やデータ通信を行うことができる。マクロ基地局の電波によってカバーされる範囲はマクロセルと呼ばれ、その半径は数百メートルから十数キロメートル程度である。このように、マクロ基地局は、比較的広範囲をカバー可能であるものの、ビルの影や地下街などでは電波が届きにくいことがある。
【０００３】
そこで、マクロ基地局からの電波が届きにくいエリアを補うために、セル半径が数十メートル程度のフェムトセルをカバーするフェムトセル基地局が用いられている。フェムトセル基地局は、家庭内やビル内などに設置され、ブロードバンド回線経由で携帯電話の通信網に接続される。携帯端末は、例えば、マクロ基地局からの電波が弱いエリアにおいて、フェムトセル基地局からの電波を検知すると、フェムトセル基地局経由での通信モード（以下、「フェムトセル通信モード」という。）に切り替わる。これにより、マクロ基地局からの電波が届きにくいエリアにおいても、携帯電話の通信サービスを提供することができる。
【０００４】
マクロ基地局の電波が強い場所でフェムトセル基地局経由での通信の試験を行う場合、携帯端末をフェムトセル通信モードに切り替えるために、マクロ基地局からの電波を遮断するシールドボックスに携帯端末とフェムトセル基地局とを収容することが行われる。携帯端末の試験においてシールドボックスを用いることは、例えば、特許文献１に開示されている。
【先行技術文献】
【特許文献】
【０００５】
【特許文献１】特開２００５−１０９９９２号公報
【発明の概要】
【発明が解決しようとする課題】
【０００６】
上述のとおり、携帯端末とフェムトセル基地局とをシールドボックスに収容することにより、携帯端末をフェムトセル通信モードに切り替えることが可能であるが、シールドボックスの外部からは、フェムトセル通信モードへの切り替えが行われたかどうかを確認することができない。そのため、フェムトセル通信モードへの切り替えが行われたかどうかを確認するために、シールドボックスを開いて、フェムトセル基地局の動作状態を確認したり、携帯端末において通信モードを確認するための操作を行ったりする必要があり、試験準備の時間が長くなってしまうことがある。
【０００７】
本発明はこのような事情に鑑みてなされたものであり、フェムトセル基地局等の無線基地局経由での通信モードにおける携帯端末の試験を行う際の、該無線基地局の動作状態の確認を容易にすることを目的とする。
【課題を解決するための手段】
【０００８】
本発明の一側面に係る携帯端末試験装置は、無線基地局と該無線基地局からの電波を受信可能に構成された携帯端末とを内部に収容可能に構成され、外部からの電波を遮断するように構成されたシールドボックスと、シールドボックス内部に配設されたアンテナと、アンテナを介して受信される無線基地局からの電波の状態を検出する電波状態検出部と、電波状態検出部の検出結果に基づいて、無線基地局からの電波の状態を示す検出信号を出力する検出信号出力部と、を備える。
【０００９】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【００１０】
本発明によれば、フェムトセル基地局等の無線基地局経由での通信モードにおける携帯端末の試験を行う際の、該無線基地局の動作状態の確認を容易にすることが可能となる。
【図面の簡単な説明】
【００１１】
【図１】本発明の一実施形態である携帯端末試験装置の外観を示す図である。
【図２】シールドボックスに携帯端末及びフェムトセル基地局が収容された状態の一例を示す図である。
【図３】フェムトセル基地局の表示部の一例を示す図である。
【図４】フェムトセル基地局の動作状態に応じた、ＬＥＤの表示状態の一例を示している。
【図５】検出装置のハードウェア構成の一例を示す図である。
【図６】検出装置の機能ブロックの構成の一例を示す図である。
【図７】検出装置の動作の一例を示すフローチャートである。
【発明を実施するための形態】
【００１２】
以下、図面を参照して本発明の一実施形態について説明する。図１は、本発明の一実施形態である携帯端末試験装置の外観を示す図である。携帯端末試験装置１００は、フェムトセル基地局等の小型無線基地局経由での通信モードにおける携帯端末の試験を行う際に用いられるものである。具体的には、携帯端末試験装置１００は、試験開始時に、携帯端末を小型無線基地局経由での通信モードにするために用いられる。なお、本実施形態では、小型無線基地局をフェムトセル基地局であるものとして説明するが、小型無線基地局はこれに限られず、携帯端末試験装置１００に収容可能な任意の無線基地局とすることができる。
【００１３】
図１に示すように、携帯端末試験装置１００は、シールドボックス１１０、センサ１１１、アンテナ１１２、カメラ１１３、及び検出装置１１４を含んで構成されている。
【００１４】
シールドボックス１１０は、外部からの電波の侵入を遮断可能な材料を用いて構成された筐体である。電波の侵入を遮断するための材料としては、例えば、導電性を有する金属や金属布などを用いることができる。シールドボックス１１０は、蓋１２０（開閉部）の開閉が可能であり、後述するように、携帯端末及びフェムトセル基地局を収容することができる。
【００１５】
センサ１１１は、蓋１２０の開閉状態を検出する検出器である。センサ１１１は、蓋１２０の開閉状態に応じた検出信号を出力可能なものであればよく、磁気スイッチや機械式スイッチなど、任意の検出器を用いることができる。
【００１６】
アンテナ１１２は、フェムトセル基地局からの電波を受信可能に構成されている。アンテナ１１２は、シールドボックス１１０に携帯電話及びフェムトセル基地局が収容された状態においてフェムトセル基地局からの電波を受信可能なように、シールドボックス１１０の内部に配設される。なお、アンテナ１１２は、シールドボックス１１０に固設されているのではなく、試験実施時に、シールドボックス１１０内部に配設されることとしてもよい。
【００１７】
カメラ１１３（表示検出部）は、シールドボックス１１０に収容されたフェムトセル基地局の動作状態を検出するために用いられる。カメラ１１３は、蓋１２０が閉じられた状態において、シールドボックス１１０に収容されたフェムトセル基地局の動作状態を示す表示部を撮影可能なように、シールドボックス１１０の内部に配設される。カメラ１１３は、例えば、所定の間隔で撮影画像を出力してもよいし、外部装置からの制御に応じて撮影画像を出力することとしてもよい。また、カメラ１１３は、例えば、シールドボックス１１０内部を広範に撮影可能とするために、視野角が１８０度程度のものであってもよい。なお、図１では、カメラ１１３は蓋１２０の内側に配設されているが、カメラ１１３が配設される場所は、シールドボックス１１０に収容されたフェムトセル基地局の動作状態を示す表示部を撮影可能な任意の場所とすることができる。また、カメラ１１３は、シールドボックス１１０に固設されているのではなく、試験実施時に、シールドボックス１１０内部に配設されることとしてもよい。
【００１８】
検出装置１１４は、アンテナ１１２の出力に基づいて、シールドボックス１１０に収容されたフェムトセル基地局からの電波の状態を示す検出信号を外部装置（例えば、パーソナルコンピュータ（ＰＣ）等）に送信する。また、検出装置１１４は、カメラ１１３の出力に基づいて、シールドボックス１１０に収容されたフェムトセル基地局の動作状態を示す検出信号を外部装置に送信する。検出装置１１４は、無線ＬＡＮ（Ｌｏｃａｌ  Ａｒｅａ  Ｎｅｔｗｏｒｋ）等の無線通信手段を介して検出信号を送信することとしてもよいし、イーサネット（登録商標）やＵＳＢ（Ｕｎｉｖｅｒｓａｌ  Ｓｅｒｉａｌ  Ｂｕｓ）ケーブル等の有線通信手段を介して検出信号を送信することとしてもよい。検出装置１１４の具体的な構成例については後述する。
【００１９】
図２は、シールドボックス１１０に携帯端末及びフェムトセル基地局が収容された状態の一例を示す図である。図２に示すように、携帯端末２００及びフェムトセル基地局２０１は、シールドボックス１１０の内部に収容される。フェムトセル基地局２０１には、例えば、シールドボックス１１０外部の商用交流電源２０２から電源が供給される。なお、フェムトセル基地局２０１と商用交流電源２０２とを接続するための配線は、例えば、シールドボックスの一部に設けられた小さな開口部（小穴）を介して行うことができる。シールドボックス内部と外部との間における他の配線についても同様である。また、フェムトセル基地局２０１は、ブロードバンド回線経由で通信を行うためのルータ２０３に接続される。
【００２０】
図２に示すように、検出装置１１４は、センサ１１１、アンテナ１１２、及びカメラ１１３と接続される。これにより、検出装置１１４は、センサ１１１の検出結果や、アンテナ１１２によって受信されるフェムトセル基地局２０１からの電波の状態、カメラ１１３によって撮影されるフェムトセル基地局２０１の表示部２０４の状態に基づいて、外部装置であるＰＣ２０５に検出信号を送信する処理を行うことができる。
【００２１】
なお、フェムトセル基地局２０１の表示部２０４には、例えば、１つまたは複数個のＬＥＤ（Ｌｉｇｈｔ  Ｅｍｉｔｔｉｎｇ  Ｄｉｏｄｅ）が設けられており、フェムトセル基地局２０１の動作状態に応じて、各ＬＥＤの表示状態（点灯／点滅／色、等）が変化する。図３は、フェムトセル基地局２０１の表示部２０４の一例を示す図である。図３に示す例では、表示部２０４には、動作状態に応じて表示状態が変化する４つのＬＥＤが設けられており、４つのＬＥＤは、上から順に、「モデム」、「機能１」、「機能２」、「電源」に関する状態を示すものとなっている。図４は、フェムトセル基地局２０１の動作状態に応じた、ＬＥＤの表示状態の一例を示している。具体的には、正常時においては、「機能１」、「機能２」、「電源」のＬＥＤが緑色の点灯状態となり、通信なしの場合には「モデム」のＬＥＤが緑色の点灯状態、通信ありの場合には「モデム」のＬＥＤが緑色の点滅状態となる。一方、異常時においては、「機能１」のＬＥＤが赤色の点滅状態となり、その他のＬＥＤが不灯状態となる。
【００２２】
図５は、検出装置１１４のハードウェア構成の一例を示す図である。図５に示すように、検出装置１１４は、メモリ５００、プロセッサ５０１、アンテナインタフェース５０２、カメラインタフェース５０３、通信インタフェース５０４、及び電源ユニット５０５を含んで構成される。
【００２３】
メモリ５００は、プロセッサ５０１によって実行されるプログラムや、各種データを記憶するための記憶領域である。メモリ５００は、メモリカード等の取り外し可能な記憶媒体を含んでもよい。メモリ５００には、例えば、図４に例示した、フェムトセル基地局２０１の動作状態に応じたＬＥＤの表示状態を示す表示状態データを格納しておくことができる。なお、メモリ５００に格納された表示状態データは、フェムトセル基地局２０１の機種に応じて書き換え可能とすることができる。また、メモリ５００には、複数機種のフェムトセル基地局２０１の表示状態データが、機種を示す情報と対応づけられて格納されていてもよい。
【００２４】
プロセッサ５０１は、メモリ５００に記憶されているプログラムを実行することにより、検出装置１１４における各種機能を実現する。検出装置１１４における各種機能については後述する。
【００２５】
アンテナインタフェース５０２は、アンテナ１１２によって受信されるフェムトセル基地局２０１からの電波の強度を示す信号をプロセッサ５０１に送信するためのインタフェースである。アンテナインタフェース５０２は、例えば、アンテナ１１２によって受信された電波から所望の周波数の電波を抽出するためのフィルタや、電波を増幅するための増幅回路、電波の強度を検出するための強度検出回路などを含むことができる。
【００２６】
カメラインタフェース５０３は、カメラ１１３から出力される画像データを受信して、該画像データをプロセッサ５０１に送信するためのインタフェースである。また、カメラインタフェース５０３は、カメラ１１３の動作を制御するための制御信号をプロセッサ５０１から受信して、該制御信号をカメラ１１３に送信するように構成されていてもよい。なお、図２に示した例では、カメラ１１３には商用交流電源２０２から電源が供給されることとしたが、カメラインタフェース５０３を介してカメラ１１３に電源が供給されることとしてもよい。
【００２７】
通信インタフェース５０４は、ＰＣ２０５に検出信号を送信するためのインタフェースである。通信インタフェース５０４は、例えば、無線ＬＡＮやイーサネット（登録商標）、ＵＳＢ等による通信を行うためのインタフェースとすることができる。
【００２８】
電源ユニット５０５は、検出装置１１４の各部に電源を供給するための回路である。電源ユニット５０５は、例えば、商用交流電源２０２から供給される交流電圧を、所定レベルの直流電圧に変換するためのＡＣ−ＤＣコンバータを含んでいてもよい。また、電源ユニット５０５は、バッテリを含んで構成されていてもよい。
【００２９】
図６は、検出装置１１４の機能ブロックの構成の一例を示す図である。図６に示すように、検出装置１１４は、電波状態検出部６００、電波状態記憶部６０１、動作状態検出部６０２、動作状態記憶部６０３、及び検出信号出力部６０４を含んで構成される。
【００３０】
電波状態検出部６００は、アンテナ１１２を介して受信される電波の状態を検出し、検出結果を示す電波状態データを電波状態記憶部６０１に格納する。電波状態データには、例えば、電波の強度が所定レベルであるかどうかを示す情報や、検出時刻を示す情報などが含まれる。
【００３１】
動作状態検出部６０２は、カメラ１１３からの画像データに基づいて、フェムトセル基地局２０１の動作状態を検出し、該動作状態を示す動作状態データを動作状態記憶部６０３に格納する。動作状態データには、例えば、フェムトセル基地局２０１の動作が正常であるかどうかを示す情報や、検出時刻を示す情報などが含まれる。例えば、動作状態検出部６０２は、カメラ１１３によって撮影された画像の中から、フェムトセル基地局２０１の表示部２０４の部分を抽出し、該表示部２０４におけるＬＥＤの表示状態を検出することができる。そして、動作状態検出部６０２は、例えば、検出したＬＥＤの表示状態を、メモリ５００に記憶されている表示状態データと比較することにより、フェムトセル基地局２０１の動作状態を判定することができる。
【００３２】
検出信号出力部６０４は、電波状態記憶部６０１に記憶されている電波状態データと、動作状態記憶部６０３に記憶されている動作状態データとに基づいて、フェムトセル基地局２０１からの電波の状態と、フェムトセル基地局２０１の動作状態とを示す検出信号をＰＣ２０５に送信する。なお、検出信号出力部６０４は、ＰＣ２０５等の外部装置に検出信号を送信するのではなく、携帯端末試験装置１００における外部から視認可能な位置に配設された表示部に、当該電波の状態及び動作状態を表示するための検出信号を出力することとしてもよい。
【００３３】
図７は、検出装置１１４の動作の一例を示すフローチャートである。図７に示す処理は、例えば、検出装置１１４の検出信号出力部６０４が、センサ１１１から出力される検出信号に基づいて、シールドボックス１１０の蓋１２０が閉じられたことを検出したことを契機として開始されることとしてもよい。また例えば、ＰＣ２０５等の外部装置から検出装置１１４に処理開始の指示が送信されることとしてもよい。また例えば、検出装置１１４に処理開始を指示するためのスイッチが設けられていてもよい。
【００３４】
処理が開始されると、電波状態検出部６００は、アンテナ１１２によって受信された電波の強度に基づいて、フェムトセル基地局２０１からの電波の状態を検出する（Ｓ７０１）。具体的には、例えば、電波状態検出部６００は、フェムトセル基地局２０１からの電波が所定レベル以上であるかどうかを判定する。そして、電波状態検出部６００は、検出した電波の状態を示す電波状態データを電波状態記憶部６０１に格納する（Ｓ７０２）。
【００３５】
検出信号出力部６０４は、電波状態記憶部６０１に格納された電波状態データに基づいて、フェムトセル基地局２０１からの電波の状態が正常であるかどうかを判定する（Ｓ７０３）。
【００３６】
電波状態が正常でない場合（Ｓ７０３：ＮＯ）、検出信号出力部６０４は、電波状態記憶部６０１に格納されている電波状態データのうち、検出時間から所定時間が経過したものを削除する（Ｓ７０４）。このように、所定時間が経過した電波状態データを削除することにより、電波状態記憶部６０１に記録される電波状態データのサイズを抑制することができる。
【００３７】
一方、電波状態が正常である場合（Ｓ７０３：ＹＥＳ）、検出信号出力部６０４は、電波状態記憶部６０１に格納されている電波状態データ（即ち、電波状態が正常であることを示す検出信号）をＰＣ２０５に送信する（Ｓ７０５）。このとき、検出信号出力部６０４は、直近の電波状態データだけではなく、電波状態記憶部６０１に格納されている過去の電波状態データについてもＰＣ２０５に送信することができる。
【００３８】
検出装置１１４においては、電波状態の検出と同様に、動作状態の検出も行われる。動作状態検出部６０２は、カメラ１１３によって撮影されたフェムトセル基地局２０１の表示部２０４の画像に基づいて、フェムトセル基地局２０１の動作状態を検出する（Ｓ７０６）。具体的には、例えば、動作状態検出部６０２は、フェムトセル基地局２０１の表示部２０４の表示状態が、フェムトセル基地局２０１の正常動作時のものであるかどうかを判定する。そして、動作状態検出部６０２は、検出した動作状態を示す動作状態データを動作状態記憶部６０３に格納する（Ｓ７０７）。
【００３９】
検出信号出力部６０４は、動作状態記憶部６０３に格納された動作状態データに基づいて、フェムトセル基地局２０１の動作状態が正常であるかどうかを判定する（Ｓ７０８）。
【００４０】
動作状態が正常でない場合（Ｓ７０８：ＮＯ）、検出信号出力部６０４は、動作状態記憶部６０３に格納されている動作状態データのうち、検出時間から所定時間が経過したものを削除する（Ｓ７０９）。このように、所定時間が経過した動作状態データを削除することにより、動作状態記憶部６０３に記録される動作状態データのサイズを抑制することができる。
【００４１】
一方、動作状態が正常である場合（Ｓ７０８：ＹＥＳ）、検出信号出力部６０４は、動作状態記憶部６０３に格納されている動作状態データ（即ち、動作状態が正常であることを示す検出信号）をＰＣ２０５に送信する（Ｓ７１０）。このとき、検出信号出力部６０４は、直近の動作状態データだけではなく、動作状態記憶部６０３に格納されている過去の動作状態データについてもＰＣ２０５に送信することができる。
【００４２】
電波状態が正常となり（Ｓ７０３：ＹＥＳ）、電波状態データのＰＣ２０５への送信（Ｓ７０５）が行われた後の動作について説明する。電波状態検出部６００は、引き続き、アンテナ１１２によって受信された電波の強度に基づいて、フェムトセル基地局２０１からの電波の状態を検出し、電波状態データを生成する（Ｓ７１１）。検出信号出力部６０４は、電波状態データに基づいて電波状態が正常であるかどうかを判定する（Ｓ７１２）。電波状態が正常でない場合（Ｓ７１２：ＮＯ）、検出信号出力部６０４は、フェムトセル基地局２０１からの電波の状態が異常であることをＰＣ２０５に通知する（Ｓ７１３）。一方、電波状態が正常である場合（Ｓ７１２：ＹＥＳ）、検出信号出力部６０４は、電波状態が正常であることを示す電波状態データをＰＣ２０５に送信する（Ｓ７１４）。なお、検出信号出力部６０４は、電波状態が正常な場合（Ｓ７１２：ＹＥＳ）は、電波状態データの送信を行わないこととしてもよい。
【００４３】
同様に、動作状態が正常となり（Ｓ７０３：ＹＥＳ）、動作状態データのＰＣ２０５への送信（Ｓ７１０）が行われた後の動作について説明する。動作状態検出部６０２は、引き続き、カメラ１１３によって撮影されたフェムトセル基地局２０１の表示部２０４の画像に基づいて、フェムトセル基地局２０１の動作状態を検出し、動作状態データを生成する（Ｓ７１５）。検出信号出力部６０４は、動作状態データに基づいて動作状態が正常であるかどうかを判定する（Ｓ７１６）。動作状態が正常でない場合（Ｓ７１６：ＮＯ）、検出信号出力部６０４は、フェムトセル基地局２０１の動作状態が異常であることをＰＣ２０５に通知する（Ｓ７１７）。一方、動作状態が正常である場合（Ｓ７１６：ＹＥＳ）、検出信号出力部６０４は、動作状態が正常であることを示す動作状態データをＰＣ２０５に送信する（Ｓ７１８）。なお、検出信号出力部６０４は、動作状態が正常な場合（Ｓ７１６：ＹＥＳ）は、動作状態データの送信を行わないこととしてもよい。
【００４４】
検出信号出力部６０４は、センサ１１１からの検出信号に基づいてシールドボックス１１０の蓋１２０の開閉状態を検出する（Ｓ７１９）。シールドボックス１１０の蓋１２０が閉まっている間（Ｓ７１９：ＮＯ）、電波状態の検出処理（Ｓ７１１〜Ｓ７１４）及び動作状態の検出処理（Ｓ７１５〜Ｓ７１８）が繰り返し実行される。そして、検出信号出力部６０４が、シールドボックス１１０の蓋１２０が開いたことを検出すると（Ｓ７１９：ＹＥＳ）、処理が終了する。
【００４５】
以上、本実施形態の携帯端末試験装置１００について説明した。本実施形態によれば、シールボックス１１０内に携帯端末２００及びフェムトセル基地局２０１を収容したままの状態で、フェムトセル基地局２０１からの電波の状態が正常であるかどうかを、携帯端末試験装置１００からの検出信号によって検知することができる。これにより、シールドボックス１１０に収容された携帯端末２００がフェムトセル通信モードに切り替わったかどうかを、シールドボックス１１０を何度も開閉することなく判定することができる。つまり、フェムトセル通信モードにおける携帯端末２００の試験を行う際の、フェムトセル基地局２０１の動作状態の確認を容易にすることができる。
【００４６】
また、本実施形態によれば、シールドボックス１１０内に携帯端末２００及びフェムトセル基地局２０１を収容したままの状態で、フェムトセル基地局２０１の動作状態が正常であるかどうかを、フェムトセル基地局２０１の表示部２０４の表示状態の検出結果に応じた検出信号によって検知することができる。これにより、シールドボックス１１０に収容された携帯端末２００がフェムトセル通信モードに切り替わったかどうかを、シールドボックス１１０を何度も開閉することなく判定することができる。つまり、フェムトセル通信モードにおける携帯端末２００の試験を行う際の、フェムトセル基地局２０１の動作状態の確認を容易にすることができる。
【００４７】
なお、本実施形態では、フェムトセル基地局２０１の表示部２０４の表示状態を検出するためにカメラ１１３を用いることとしたが、表示部２０４の表示状態を検出するためのデバイスはこれに限られない。例えば、表示部２０４をカバーするようにフォトダイオード等の光検出器を配設することにより、表示部２０４の表示状態を検出することとしてもよい。また、シールドボックス１１０の一部（例えば蓋１２０の一部）に、シールドボックス１１０内部を視認可能なガラス窓等を設けることにより、フェムトセル基地局２０１の表示部２０４の表示状態を試験実施者が確認可能としてもよい。
【００４８】
また、本実施形態によれば、携帯端末試験装置１００は、フェムトセル基地局２０１からの電波の状態や表示部２０４の表示状態を示す検出信号を、ＰＣ２０５等の外部装置に送信することができる。これにより、ＰＣ２０５等の外部装置を用いてシールドボックス１１０内の状態をモニタリングすることができる。
【００４９】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【００５０】
例えば、本実施形態では、フェムトセル基地局２０１からの電波の状態と、フェムトセル基地局２０１の表示部２０４の表示状態とが検出されることとしたが、携帯端末試験装置１００は、これらの状態のうちいずれか一方のみを検出することとしてもよい。
【符号の説明】
【００５１】
１００  携帯端末試験装置
１１０  シールドボックス
１１１  センサ
１１２  アンテナ
１１３  カメラ
１１４  検出装置
１２０  蓋
２００  携帯端末
２０１  フェムトセル基地局
２０２  商用交流電源
２０３  ルータ
２０４  表示部
２０５  ＰＣ
５００  メモリ
５０１  プロセッサ
５０２  アンテナインタフェース
５０３  カメラインタフェース
５０４  通信インタフェース
５０５  電源ユニット
６００  電波状態検出部
６０１  電波状態記憶部
６０２  動作状態検出部
６０３  動作状態記憶部
６０４  検出信号出力部
【図１】
2014222832.tif 000003
【図２】
2014222832.tif 000004
【図３】
2014222832.tif 000005
【図４】
2014222832.tif 000006
【図５】
2014222832.tif 000007
【図６】
2014222832.tif 000008
【図７】
2014222832.tif 000009